(57)【要約】ヒールカウンター４は、アッパー１の背側１ｂから前方に向って延びるサポート部４３と、サポート部４３よりも上方の位置においてサポート部４３に概ね平行にアッパー１の背側１ｂから内側１１に沿って前方に向って延び、かつ、サポート部４３よりも上方の位置においてサポート部４３に概ね平行にアッパー１の背側１ｂから外側１２に沿って前方に向ってリヴ４０と、サポート部４３とリヴ４０との間を連ね、サポート部４３にリヴ４０を支持させる第１および第２ブリッジ手段４１ａ，４１ｂ，４２とを備え、リヴ４０と各ブリッジ手段４１ａ，４１ｂ，４２とが連結された複数の連結部位４６ｂ，４６ｃ，４６ｅのうち最も前方の連結部位４６ｂがアッパー１の内側に設けられており、最も前方の連結部位４６ｂが距骨Ｂ８の後端よりも前方に位置する。
2010038267.tif 000002
【特許請求の範囲】
【請求項１】
アッパーの踵部を保形するヒールカウンターを備えた運動靴であって；
前記アッパーは素材を複数層重ねて形成されており、
前記アッパーは足の内側面を覆う内側と、前記足の外側面を覆う外側と、前記足の背面を覆う背側と、前記内側、外側および背側の上縁により定義される履き口とを備え、
前記アッパーの履き口近傍において、前記アッパーの内側が距骨の前端部および距骨下関節の前端部を覆い、かつ、前記アッパーの外側が前記距骨の前端部および距骨下関節の前端部を覆い、
前記ヒールカウンターは合成樹脂で一体に形成されており、前記ヒールカウンターは、
前記アッパーの内側の下縁に沿って前記アッパーの背側から前記距骨の後端よりも前方の位置まで足の前方に向かって延び、かつ、前記アッパーの外側の下縁に沿って前記アッパーの背側から前記距骨の後端よりも前方の位置まで前記前方に向かって延びるサポート部と、
前記サポート部よりも上方の位置において前記サポート部に概ね平行に前記アッパーの背側から前記内側に沿って前記前方に向かって内踝の後端の真下の位置よりも前方の位置まで延び、かつ、前記サポート部よりも上方の位置において前記サポート部に概ね平行に前記アッパーの背側から前記外側に沿って前記前方に向かって前記距骨の後端よりも前方の位置まで延びるリヴと、
前記内側において、前記サポート部と前記リヴとの間に架設された１または複数の第１ブリッジ手段と、
前記背側または外側において前記サポート部と前記リヴとの間に架設された１または複数の第２ブリッジ手段とを備え、
前記各ブリッジ手段、サポート部およびリヴは、これらの間に前記アッパーが露出した貫通孔を形成し、
前記リヴと前記各ブリッジ手段とが連結された複数の連結部位のうち最も前方の連結部位が前記アッパーの内側に設けられており、
前記最も前方の連結部位の前端が前記内踝の後端の真下よりも前方に位置する運動靴。
【請求項２】
請求項１において、前記リヴは前記背側において踵骨の上部の背側を覆い、前記内側および外側において前記距骨の下端に向かって延びている運動靴。
【請求項３】
請求項１において、前記リヴは前記内側および外側において距骨下関節の近傍の踵骨の一部を覆う運動靴。
【請求項４】
請求項３において、前記リヴの前端またはその近傍が前記内側において前記第１ブリッジ手段に連結されて前記リヴが前記第１ブリッジ手段を介して前記サポート部に支持されている運動靴。
【請求項５】
請求項４において、前記リヴの内側の前端は、前記リヴの外側の前端よりも前方に位置している運動靴。
【請求項６】
請求項４において、前記サポート部に連なり前記アッパーとシューソールとの間に挟まれた被挟持部が前記ヒールカウンターに更に設けられている運動靴。
【請求項７】
請求項６において、前記サポート部の前端は前記内側および外側において踵骨の前端よりも前方に位置し、かつ、前記リヴの前端よりも前方に位置する運動靴。
【請求項８】
請求項１において、前記履き口を形成するアッパーの内側および外側の上縁は、それぞれ、前記履き口の前後方向の中間点から前方に行くに従い上方に向かう第１縁と前記中間点から後方に行くに従い上方に向かう第２縁とが連なって形成されており、
前記リヴの内側の前端が前記中間点よりも前方で、かつ、前記距骨の前端よりも後方に位置する運動靴。
【請求項９】
請求項１において、前記ヒールカウンターは前記アッパーの外表面に付着されている運動靴。
【請求項１０】
アッパーの踵部を保形するヒールカウンターを備えた運動靴であって；
前記アッパーは素材を複数層重ねて形成されており、
前記アッパーは足の内側面を覆う内側と、前記足の外側面を覆う外側と、前記足の背面を覆う背側と、前記内側、外側および背側の上縁により定義される履き口とを備え、前記アッパーの内側が距骨の前端部および距骨下関節の前端部を覆い、かつ、前記アッパーの外側が前記距骨の前端部および距骨下関節の前端部を覆い、
前記ヒールカウンターは合成樹脂で一体に形成されており、前記ヒールカウンターは、
前記アッパーの内側の下縁に沿って前記アッパーの背側から前記距骨の後端よりも前方の位置まで足の前方に向かって延び、かつ、前記アッパーの外側の下縁に沿って前記アッパーの背側から前記距骨の後端よりも前方の位置まで前記前方に向かって延びるサポート部と、
前記サポート部よりも上方の位置において前記アッパーの背側から前記内側に沿って前記前方に向かって内踝の後端の真下の位置よりも前方の位置まで延び、かつ、前記サポート部よりも上方の位置において前記アッパーの背側から前記外側に沿って前記前方に向かって距骨の後端よりも前方の位置まで延びるリヴと、
前記リヴの内側および外側の前端は前記サポート部までの距離よりも前記履き口までの距離の方が小さく、
前記内側において前記サポート部と前記リヴとの間に架設された１または複数の第１ブリッジ手段と、
前記背側または外側において前記サポート部と前記リヴとの間に架設された１または複数の第２ブリッジ手段とを備え、
前記各ブリッジ手段、サポート部およびリヴは、これらの間に前記アッパーが露出した貫通孔を形成し、
前記リヴと前記各ブリッジ手段とが連結された複数の連結部位のうち最も前方の連結部位が前記アッパーの内側に設けられており、
前記最も前方の連結部位の前端が前記内踝の後端の真下よりも前方に位置する運動靴。
【発明の詳細な説明】
【技術分野】
【０００１】
本発明は踵部を保形するヒールカウンターを備えた運動靴に関するものである。
【背景技術】
【０００２】
ヒールカウンターは踵の両側面および背面を覆いアッパーの踵部を保形する。樹脂パーツで形成されたヒールカウンターで踵全体を包んだ場合、アッパーの踵部の剛性が高いが、その反面、着用者の踵の形状に沿ったアッパーの変形が阻害される。つまり、踵部のフィット性が低下する。【０００３】
たとえば、以下に列挙するように、履き口に沿ったリヴを持つヒールカウンターは公知である。
【特許文献１】実開昭５２−１０４４５４号（第２図）
【特許文献２】実開平０２−０６１２０２号（第５図）
【特許文献３】特開昭６４−００８９０４号（第１１図）
【特許文献４】実公平０３−０３４０８９号（第１図）
【０００４】
たとえば、下記の特許文献のように、格子状に形成されて貫通孔を有するヒールカウンターは公知である。
【特許文献５】ＷＯ８８／０８６７８（ＦＩＧ５）
【発明の開示】
【０００５】
走行において、足は踵の外側から着地し、その後、前足の内側に荷重の中心が移動する。この際、踵の外反（プロネーション）が生じるが、過度のプロネーションを抑制することはランニングによる足の障害の予防に役立つ。
【０００６】
一方、通常のランナーの場合、着地直後に踵の内反の発生するおそれは少ない。
【０００７】
しかし、前記各文献に開示されたヒールカウンターは前記踵の外反と内反との相違について何ら配慮されていない。
【０００８】
本発明の目的は、過度の外反防止に役立ち、かつ、踵の外側への必要な動きを阻害しない運動靴を提供することである。
【０００９】
前記目的を達成するために、新規なヒールカウンターを備えた運動靴が提供される。
【００１０】
本発明のある態様の運動靴は、アッパーの踵部を保形するヒールカウンターを備えた運動靴であって、前記アッパーは素材を複数層重ねて形成されており、前記アッパーは足の内側面を覆う内側と、前記足の外側面を覆う外側と、前記足の背面を覆う背側と、前記内側、外側および背側の上縁により定義される履き口とを備え、前記アッパーの履き口近傍において、前記アッパーの内側が距骨の前端部および距骨下関節の前端部を覆い、かつ、前記アッパーの外側が前記距骨の前端部および距骨下関節の前端部を覆い、前記ヒールカウンターは合成樹脂で一体に形成されており、前記ヒールカウンターは、前記アッパーの内側の下縁に沿って前記アッパーの背側から前記距骨の後端よりも前方の位置まで足の前方に向かって延び、かつ、前記アッパーの外側の下縁に沿って前記アッパーの背側から前記距骨の後端よりも前方の位置まで前記前方に向かって延びるサポート部と、前記サポート部よりも上方の位置において前記サポート部に概ね平行に前記アッパーの背側から前記内側に沿って前記前方に向かって内踝の後端の真下の位置よりも前方の位置まで延び、かつ、前記サポート部よりも上方の位置において前記サポート部に概ね平行に前記アッパーの背側から前記外側に沿って前記前方に向かって前記距骨の後端よりも前方の位置まで延びるリヴと、前記内側において、前記サポート部と前記リヴとの間に架設された１または複数の第１ブリッジ手段と、前記背側または外側において前記サポート部と前記リヴとの間に架設された１または複数の第２ブリッジ手段とを備え、前記内側において前記リヴは前記第１ブリッジ手段を介して前記サポート部に支持され、前記背側または外側において前記リヴは前記第２ブリッジ手段を介して前記サポート部に支持され、前記各ブリッジ手段、サポート部およびリヴは、これらの間に前記アッパーが露出した貫通孔を形成し、前記リヴと前記各ブリッジ手段とが連結された複数の連結部位のうち最も前方の連結部位が前記アッパーの内側に設けられており、前記最も前方の連結部位の前端が前記内踝の後端の真下よりも前方に位置する。
【００１１】
ヒールカウンターのリヴ、第１および第２ブリッジ手段は、アッパーの踵部を保形する。
ヒールカウンターがサポート部、リヴおよびブリッジ手段で格子状に形成されている。そのため、足の踵の形状に沿ったアッパーの変形が阻害されにくい。
【００１２】
なお、「前記距骨の後端よりも前方の位置まで延びる」とは、アッパーの内側および外側においてリヴが距骨の後端を通って距骨の後端よりも前方の位置まで延びる場合のほか、リヴが距骨の後端を通らずに距骨の真下の位置よりも前方の位置まで延びる場合を含む。
【００１３】
特に、足の内側においては、最も前方の連結部位はその前端が内踝の後端よりも前方に設けられ、リヴが第１ブリッジ手段を介してサポート部に連結されて支持されている。そのため、リヴにより補強されたアッパーの履き口の前部が開きにくい。これにより、足が内側に倒れ込むのが抑制されて、踵の外反りが抑制される。
かかる第１ブリッジ手段による効果は、履き口の上縁に上から荷重が加わった場合、リヴとサポート部との間に架設された第１ブリッジ手段がアッパーの内側においてアッパーの形が上下につぶれるのを抑制することにより明確に理解されるであろう。
一方、足の外側または背側においては内側よりも後方の位置でリヴが第２ブリッジ手段に連結されている。そのため、足の外側の必要な動きが阻害されにくい。
【００１４】
前記アッパーの素材としては、織物、編物、不織布などの繊維質の生地の他に、革、合成皮革、人工皮革などの生地を用いることができ、また、部分的に一層の部分があってもよい。
【００１５】
本発明の好適な実施例においては、前記リヴは前記背側において前記踵骨の上部の背側を覆い、前記内側および外側において前記距骨の下端に向かって延びている。
【００１６】
別の好適な実施例においては、前記リヴは前記内側および外側において距骨下関節の近傍の踵骨の一部を覆う。
【００１７】
この場合、距骨下関節やその近傍の踵骨の側面の一部をリヴが覆うことで、履き口が内外に広がるのを抑制できる。そのため、アッパーが足の踵にフィットする。
【００１８】
この場合、更に好適な実施例において、前記リヴの前端またはその近傍が前記内側において前記第１ブリッジ手段に連結されて前記リヴが前記第１ブリッジ手段を介して前記サポート部に支持されている。
【００１９】
内踝の下方においてリヴが第１ブリッジ手段を介してサポート部に支持されている。そのため、着地後に足が内側に倒れ込むのを抑制する作用が確実に得られる。
【００２０】
更に好適な実施例においては、前記リヴの内側の前端は、前記リヴの外側の前端よりも前方に位置している。
【００２１】
更に別の好適な実施例においては、前記サポート部に連なり、前記アッパーとシューソールとの間に挟まれた被挟持部が前記ヒールカウンターに更に設けられている。
【００２２】
このように、被挟持部がアッパーとシューソールとの間に挟まれている場合、ヒールカウンターが安定した状態でソールに固定される。これにより、リヴはアッパーの履き口の形状を維持し易い。そのため、足の外反抑制の効果が高まる。
【００２３】
この場合、更に好ましい実施例においては、サポート部の前端は前記内側および外側において踵骨の前端よりも前方に位置し、かつ、前記リヴの前端よりも前方に位置する。
【００２４】
このようにサポート部がリヴよりも前方に延びている場合、サポート部を介してヒールカウンターがソールに更に安定した状態で支持される。
【００２５】
本発明の好適な実施例においては、前記履き口を形成するアッパーの内側および外側の上縁は、それぞれ、前記履き口の前後方向の中間点から前方に行くに従い上方に向かう第１縁と前記中間点から後方に行くに従い上方に向かう第２縁とが連なって形成されており、前記リヴの内側の前端が前記中間点よりも前方で、かつ、前記距骨の前端よりも後方に位置する。
【００２６】
前記中間点またはその前方まで前記リヴが延びていることにより、足が内側へ倒れるのを抑制できる。
【図面の簡単な説明】
【００２７】
【図１】図１は本発明の実施例１の運動靴を示す内側面図である。
【図２】図２は同実施例１の運動靴を示す外側面図である。
【図３】図３は同実施例１の運動靴を示す背面図である。
【図４】図４Ａは同実施例１にかかるアッパーの横断面図、図４Ｂは実施例２にかかるアッパーの横断面図である。
【図５】図５は実施例１にかかるヒールカウンターおよびヒールカップの分解斜視図である。
【図６】図６は同実施例１にかかるヒールカウンターおよびヒールカップの斜視図である。
【図７】図７は実施例３の運動靴を示す内側面図である。
【図８】図８は実施例３の運動靴を示す外側面図である。
【図９】図９は実施例３の運動靴を示す背面図である。
【図１０】図１０は実施例３にかかるヒールカウンターを示す斜視図である。
【図１１】図１１Ａは実施例４の運動靴の後足部分を示す内側面図、図１１Ｂは実施例４の運動靴の後足部分を示す外側面図である。
【図１２】図１２Ａは実施例５の運動靴の後足部分を示す内側面図、図１２Ｂは実施例５の運動靴の後足部分を示す外側面図である。
【図１３】図１３Ａは実施例６の運動靴の後足部分を示す内側面図、図１３Ｂは実施例６の運動靴の後足部分を示す外側面図である。
【符号の説明】
【００２８】
１：アッパー
１ｄ：踵部
４：ヒールカウンター
１１：内側
１２：外側
２０：履き口
２１：第１縁
２２：第２縁
２３ａ：内側の中間点
２３ｂ：外側の中間点
４０：リヴ
４１ａ，４１ｂ：第１ブリッジ手段
４２，４２ａ，４２ｂ：第２ブリッジ手段
４３：サポート部
４５：貫通孔
４６ａ〜４６ｆ：連結部位
４０３、４０４：連結部位の前端
Ｂ８：距骨
Ｂ９：踵骨
Ｊ８：距骨下関節
Ｍｍ：内踝
【発明を実施するための最良の形態】
【００２９】
本発明は、添付の図面を参考にした以下の好適な実施例の説明からより明瞭に理解されるであろう。しかしながら、実施例および図面は単なる図示および説明のためのものであり、本発明の範囲は請求の範囲によって定まる。添付図面において、複数の図面における同一の部品番号は、同一または相当部分を示す。【００３０】
以下、本発明の実施例が図面にしたがって説明される。
実施例１：
図１〜図３、図４Ａ、図５および図６は実施例１を示す。【００３１】
全体構成：
図１〜図３に示すように、本運動靴は、アッパー１、ミッドソール２、アウトソール３およびヒールカウンター４を備える。【００３２】
図４Ａに示すように、アッパー１は外甲材１３と腰裏材１４との間に樹脂の発泡体からなるクッション材１５を備えている。なお、外甲材１３や腰裏材１４が複数層の生地で形成されていてもよい。【００３３】
前記アッパー１には中底（インソール）６が縫合されている。一方、図１に示すように前記アッパー１には脚Ｔが上方に延び、かつ、足を挿入するための履き口２０が形成されている。【００３４】
前記アッパー１はシューレース７のような締結具を備え、前記履き口２０の近傍においてアッパー１の内側１１および図２の外側１２が足に密着するように、前記シューレース７によりアッパー１を締め付ける。なお、符号１６は履き口２０の前方に設けられた舌片である。【００３５】
アッパー１の内側１１は足の内側面を覆い、アッパー１の外側１２は足の外側面を覆い、アッパー１の背側１ｂは足の背面を覆う。前記アッパー１の内側１１，外側１２および背側１ｂは履き口２０を形成する。【００３６】
前記アッパー１の履き口２０近傍において、図１のアッパー１の内側１１が距骨Ｂ８の前端部Ｂ８ｆおよび距骨下関節Ｊ８の前端部Ｊ８ｆを覆い、かつ、図２の前記アッパー１の外側１２が前記距骨Ｂ８の前端部Ｂ８ｆおよび距骨下関節Ｊ８の前端部Ｊ８ｆを覆う。なお、本実施例１の場合、外踝Ｍｌおよび図１の内踝Ｍｍは、それぞれ、履き口２０の上方において露出している。【００３７】
図４Ａに示すように、ヒールカウンター４はアッパー１の内側１１および外側１２においてアッパー１の外表面に接着されて隙間なく固着されている。このように外表面にヒールカウンター４が接着されたアッパー１は曲げ剛性が大きく、外反抑制に役立つ。
前記ヒールカウンター４および中底６の下方には、図１のミッドソール２、ヒールカップ５および図１のアウトソール３が積層されている。
なお、ヒールカップ５は足の後足部および中足部を支える。【００３８】
ヒールカウンター４：
つぎに、本発明の要部である前記ヒールカウンター４が説明される。
図１〜図３に示すヒールカウンター４は、アッパー１を形成する生地の外表面に接着されて露出しており、複数層の生地で形成された柔軟なアッパー１の踵部１ｃを保形する。図５に示す本実施例１の前記ヒールカウンター４は合成樹脂のヒールカウンター本体４８に合成樹脂の補強片４４が接着され、図６に示すように一体に形成される。ヒールカウンター４はヒールカップ５に接着される。【００３９】
図１および図２に示すように、前記ヒールカウンター４の内側と外側とは互いに非対称に形成されている。ヒールカウンター４は、サポート部４３、リヴ４０および第１ブリッジ手段４１ａ，４１ｂおよび第２ブリッジ手段４２を備えている。【００４０】
前記サポート部４３はアッパー１の下縁１ｄ（図４Ａ）に沿って設けられている。前記リヴ４０はサポート部４３よりも上方の位置において、サポート部４３に概ね平行に設けられている。各ブリッジ手段４１ａ，４１ｂ，４２は、サポート部４３とリヴ４０との間をそれぞれ連ねている。【００４１】
サポート部４３；
図１に示す内側においてサポート部４３は、図４Ａに示すアッパー１の内側１１の下縁１ｄに沿って、アッパー１の背側１ｂから距骨Ｂ８の前端部Ｂ８ｆまで足の前方に向かって延び、本実施例１では、図１に示すように、アッパー１の背側１ｂから舟状骨Ｂ６の下方の位置まで延びている。【００４２】
一方、図２に示す外側においてサポート部４３は、図４Ａに示すアッパー１の外側１２の下縁１ｄに沿って、アッパー１の背側１ｂから距骨Ｂ８の前端部Ｂ８ｆまで足の前方に向かって延び、本実施例１では、図２に示すように、アッパー１の背側１ｂから前方に向かって舟状骨Ｂ６の真下の位置よりも前方まで延びている。【００４３】
図３に示すように、前記サポート部４３はアッパー１の背側１ｂにおいて一体に連なっている。【００４４】
図１および図２に示すように、サポート部４３の前端４３ｆは足の内外（図３のＩＮ・ＯＵＴ）において、踵骨Ｂ９の前端Ｂ９ｆよりも前方に位置し、かつ、図５に示すように、リヴ４０の前端４０１，４０２よりも前方に位置している。【００４５】
被挟持部４７；
前述したように、図４Ａに示すヒールカウンター４および中底６の下方には、図１のミッドソール２、ヒールカップ５およびアウトソール３が積層されている。前記サポート部４３には、アッパー１とミッドソール２との間に挟まれた被挟持部４７（図４Ａ）が一体に形成されている。
したがって、ヒールカウンター４は、サポート部４３がアッパー１とミッドソール２との間に挟まれてこれらに固着されると共に、アッパー１の内側１１および外側１２に隙間なく接着されることにより、アッパー１を介して足にフィットされる。【００４６】
リヴ４０；
図１および図２に示すように、リヴ４０の内側および外側の前端４０１，４０２は、サポート部４３までの距離よりも履き口２０までの距離の方が小さく設定されている。【００４７】
図１に示す内側１１においてリヴ４０は、サポート部４３よりも上方の位置においてサポート部４３に概ね平行に、少なくともアッパー１の背側１ｂから内側１１の外表面上を前方に向かって内踝Ｍｍの後端Ｍｍｂの真下まで延びている。
本実施例１では、図１に示すように、内側１１においてリヴ４０はアッパー１の背側１ｂから前方に向かって内踝Ｍｍの前後方向Ｘの中心近傍の真下の位置まで延びている。
なお、内側１１においてリヴ４０はアッパー１の背側１ｂから前方に向かって舟状骨Ｂ６近傍まで延びていてもよい。【００４８】
一方、図２に示す外側１２において前記リヴ４０は、前記サポート部４３よりも上方の位置において、サポート部４３に概ね平行に、少なくともアッパー１の背側１ｂから外側１２の外表面上を前方に向かって距骨Ｂ８の後端Ｂ８ｂまで延びている。
本実施例１では、図２に示すように、リヴ４０がアッパー１の背側１ｂから外側１２の外表面上を前方に向かって距骨Ｂ８の前半部まで延びている。【００４９】
図１および図２に示す前記リヴ４０は足の内外の側面において、距骨下関節Ｊ８またはその近傍の踵骨Ｂ９の一部を覆う。本実施例１では、図１および図２に示すように、リヴ４０は足の内外において、距骨下関節Ｊ８の下方の踵骨の一部を覆っている。【００５０】
図３に示すように、リヴ４０はアッパー１の背側１ｂにおいて一体に形成されている。図１および図２に示すように、リヴ４０はアッパー１の背側１ｂにおいて、踵骨Ｂ９の上部の背面を覆い、内側１１および外側１２において距骨Ｂ８の下端Ｂ８ｄに向かって延びている。【００５１】
リヴ４０と履き口２０との位置関係；
前記履き口２０を形成するアッパー１の内側１１の上縁は、履き口２０の前後方向Ｘの内側の中間点２３ａから前方に行くに従い上方に向かう第１縁２１と、該中間点２３ａから後方に行くに従い上方に向かう第２縁２２とが連なって形成されている。
前記履き口２０を形成するアッパー１の外側１２の上縁は、履き口２０の前後方向Ｘの外側の中間点２３ｂから前方に行くに従い上方に向かう第１縁２１と、該中間点２３ｂから後方に行くに従い上方に向かう第２縁２２とが連なって形成されている。【００５２】
図１に示すリヴ４０は内側１１において、内踝Ｍｍの後端Ｍｍｂの概ね真下またはその前方の位置に前端４０１を有している。本実施例１では、図１に示すように、リヴ４０は内踝Ｍｍの前後方向Ｘの中心付近の真下の位置に前端４０１を有している。【００５３】
前記内側１１において前記リヴ４０の前端４０１は、履き口２０の内側の中間点２３ａよりも前方で、かつ、距骨Ｂ８の前端部Ｂ８ｆよりも後方に位置している。【００５４】
なお、内踝Ｍｍは外踝Ｍｌよりも前方に位置しているので、図１に示す内側の中間点２３ａは、図２に示す外側の中間点２３ｂよりも前方に位置している。【００５５】
第１ブリッジ手段４１ａ，４１ｂ；
図１および図３に示すように、アッパー１の内側１１において、サポート部４３とリヴ４０との間には、２本の第１ブリッジ（第１ブリッジ手段）４１ａ，４１ｂが設けられている。第１ブリッジ４１ａ，４１ｂは、アッパー１の内側１１において、サポート部４３とリヴ４０との間を連ね、サポート部４３にリヴ４０を支持させる。両第１ブリッジ４１ａ，４１ｂのうち最も前方の前記第１ブリッジ４１ａは、直線状に形成されている。
２本の第１ブリッジ４１ａ，４１ｂの間には、アッパー１が露出した貫通孔４５が形成されている。【００５６】
内側１１において前記リヴ４０の前端４０１またはその近傍は、最も前方の第１ブリッジ４１ａに連結されて、第１ブリッジ４１ａを介してサポート部４３に支持されている。
本実施例１では、図１に示すように、前記第１ブリッジ４１ａはリヴ４０の前端４０１の近傍において連結部位４６ｂによって連結され、下方において連結部位４６ａによりサポート部４３に支持されている。【００５７】
第２ブリッジ手段４２；
図２および図３に示すように、アッパー１の外側１２において、サポート部４３とリヴ４０との間には、１本の第２ブリッジ（第２ブリッジ手段）４２が設けられている。第２ブリッジ４２は、アッパー１の外側１２において、サポート部４３とリヴ４０との間を連ね、サポート部４３にリヴ４０を支持させる。【００５８】
図１〜図３に示すように、サポート部４３およびリヴ４０とブリッジ４１ａ，４１ｂ，４２とは、各連結部位４６ａ〜４６ｆにおいて互いに連結されている。リヴ４０とブリッジ４１ａ，４１ｂ，４２を連結する前記各連結部位４６ｂ，４６ｃ，４６ｅのうち、最も前方の連結部位４６ｂは、図１に示すアッパー１の内側１１に設けられている。【００５９】
前記最も前方の連結部位４６ｂは、少なくとも距骨Ｂ８の後端Ｂ８ｂよりも前方に位置している。本実施例１では、図１に示すように、最も前方の連結部位４６ｂは、たとえば、距骨Ｂ８の前後方向Ｘの略中心の真下に位置している。【００６０】
一方、図１および図２に示すように、各ブリッジ４１ａ，４１ｂ，４２においてサポート部４３側の連結部位４６ａ，４６ｄ，４６ｆは、リヴ４０側の連結部位４６ｂ，４６ｃ，４６ｅよりも前方に位置している。
したがって、第１および第２ブリッジ４１ａ，４１ｂ，４２は、上端が下端よりも後方に位置する傾斜した形状に形成されている。【００６１】
図１および図２に示すように、内側の連結部位４６ｂの前端４０３は外側の連結部位４６ｅの前端４０４よりも前方に位置している。本実施例においては内側の連結部位４６ｂの前端４０３が履き口の内側の中間点２３ａよりも前方に位置し、一方、外側の連結部位４６ｅの前端４０４が履き口の外側の中間点２３ｂよりも後方に位置する。
たとえば、図１に示すように、前記内側の前端４０３は踵骨Ｂ９の前後方向Ｘの中心よりも前方に位置している。一方、図２に示すように、前記外側の前端４０４は踵骨Ｂ９の後端近傍に位置している。【００６２】
なお、履き口の内側の中間点２３ａは外側の中間点２３ｂよりも通常、若干前方に位置する。また、内側の中間点２３ａの高さ（ｌｅｖｅｌ）は外側の中間点２３ｂの高さ（ｌｅｖｅｌ）よりも高い。【００６３】
つぎに、他の実施例について説明する。以下に説明する各実施例では、前述した実施例１と異なる部分について主に説明する。
実施例２：
図４Ｂは実施例２を示す。【００６４】
図４Ｂに示すように、ヒールカウンター４はアッパー１の内部において内側１１，背側１ｂおよび外側１２に接着されている。この場合において、ヒールカウンター４は外甲材１３に接着される。外甲材１３に接着されたリヴ４０はアッパー１の曲げ剛性を高める。  なお、前記ヒールカウンター４および中底６の下方には、図１のミッドソール２、ヒールカップ５およびアウトソール３が積層される。【００６５】
実施例３：
図７〜図１０は実施例３を示す。
図７〜図９に示すように、本実施例３のヒールカウンター４は、第１および第２ブリッジ４１ａ，４２を備えている。
図７に示すように、アッパー１の内側１１において、前方の第１ブリッジ４１ａは、前端４０１から踵骨Ｂ９（図１）の後端部近傍の下方に向かって湾曲した曲線状に形成されている。【００６６】
図９に示すように、第２ブリッジ４２はアッパー１の背側１ｂの中央に配置されている。
なお、図１０に示すように、ヒールカウンター４はヒールカップ５と一体に形成されている。ヒールカップ５は足の後足部および中足部を支持する。【００６７】
実施例４：
図１１Ａおよび図１１Ｂは実施例４を示す。
図１１Ａに示すように、アッパー１の内側１１において、最も前方の第１ブリッジ４１ａは直線状に形成されている。一方、後方の第１ブリッジ４１ｂはＸ字状に形成されている。【００６８】
図１１Ｂに示すように、アッパー１の外側１２において、第２ブリッジ４２はＸ字状に形成されている。ヒールカウンター４は、サポート部４３、リヴ４０および第１および第２ブリッジ４１ａ，４１ｂ，４２によって複数の貫通孔４５を有する格子状に形成されている。【００６９】
実施例５：
図１２Ａおよび図１２Ｂは実施例５を示す。
図１２Ａに示すように、アッパー１の内側１１において、前方の第１ブリッジ４１ａは、逆Ｙ字状に形成されている。
図１２Ｂに示すように、アッパー１の外側１２において、サポート部４３とリヴ４０との間には、第２ブリッジ４２ａ，４２ｂが形成されている。【００７０】
実施例６：
図１３Ａおよび図１３Ｂは実施例６を示す。
図１３Ａに示すように、アッパー１の内側１１において、前方の第１ブリッジ４１ａは、リヴ４０の前部からサポート部４３の前端部に向かって斜め前方に形成された主部と、該主部からサポート部４３に向かって斜め後方に掛け渡された２本の枝部４００からなる。【００７１】
同様に、図１３Ｂに示すように、アッパー１の外側１２において、第２ブリッジ４２は、リヴ４０の前部からサポート部４３の前端部に向かって斜め前方に形成された主部と、該主部からサポート部４３に向かって斜め後方に掛け渡された枝部４００からなる。【００７２】
以上のとおり、図面を参照しながら好適な実施例を説明したが、当業者であれば、本明細書を見て、自明な範囲で種々の変更および修正を容易に想定するであろう。            【００７３】
たとえば、ヒールカップを設ける必要はない。また、最も前方の連結部位の前端以外の部分が内踝の後端の真下よりも後方に位置していてもよい。また、図１の実施例において連結部位４６ｂと連結部位４６ｄとを繋ぐ別の第１ブリッジが更に設けられてもよい。【００７４】
したがって、そのような変更および修正は、請求の範囲から定まる本発明の範囲のものと解釈される。
【産業上の利用可能性】
【００７５】
本発明は運動靴に適用される。
【図１】
2010038267.tif 000003
【図２】
2010038267.tif 000004
【図３】
2010038267.tif 000005
【図４】
2010038267.tif 000006
【図５】
2010038267.tif 000007
【図６】
2010038267.tif 000008
【図７】
2010038267.tif 000009
【図８】
2010038267.tif 000010
【図９】
2010038267.tif 000011
【図１０】
2010038267.tif 000012
【図１１】
2010038267.tif 000013
【図１２】
2010038267.tif 000014
【図１３】
2010038267.tif 000015
【国際調査報告】
2010038267.tif 000016
2010038267.tif 000017
2010038267.tif 000018